(57)【要約】【課題】本発明の目的は、制御部を備えた便器において、その制御部への洗浄水の給水を左右いずれからの給水の場合であっても一つの便器で対応できることを目的とするものである。【解決手段】ボウル部と、前記ボウル部を洗浄するために吐出される洗浄水の制御をおこなう制御部と、前記制御部を収納する収納部を有する水洗式大便器において、前記前記収納部底部より下側に便器後方の空間へ臨む開放空間を有することを特徴とする水洗式大便器である。【選択図】  図１
2004270301.tif 000002
【特許請求の範囲】
【請求項１】
ボウル部と、
前記ボウル部を洗浄するために吐出される洗浄水の制御をおこなう制御部と、
前記制御部を収納する収納部を有する水洗式大便器において、
前記収納部底部より下側に便器後方の空間へ臨む開放空間を有することを特徴とする水洗式大便器。
【請求項２】
ボウル部と、
前記ボウル部を洗浄するために吐出される洗浄水の制御をおこなう制御部と、前記制御部を収納する収納部と、前記ボウル部と連通するＰトラップの出口を内包するフランジ部を備える水洗式大便器において、前記収納部の底部と前記フランジ部との間に開放空間を備えることを特徴とする水洗式大便器
【請求項３】
前記フランジ部の端部が前記収納部の後端よりも後方にあることを特徴とする請求項２記載の水洗式大便器。
【請求項４】
前記収納部の底部に前記制御部への洗浄水の管路が通る管路開口部を備えることを特徴とする請求項１乃至３の何れかに記載の水洗式大便器。
【発明の詳細な説明】
【０００１】
【発明の属する技術分野】
本発明は、水洗式大便器に関する。
【０００２】
【従来の技術】
従来、水洗式大便器の一形態として、前記水洗式大便器のボウル部と連通するＰトラップの出口を内包するフランジ部と器具排水管の構造を工夫することにより施工が簡単に出来るものがある。（例えば、特許文献１参照）。
【０００３】
この従来の水洗式大便器の要部側断面図を図４に示す。
図４は水洗式大便器に備えたフランジ部（排水フランジとも言う）と器具排水管を適用した状態を示す要部側断面図であり、水洗式大便器１は図示しない便所の壁に沿って配設した配管ユニット２に臨んで設けられている。
【０００４】
配管ユニット２内には排水管３が収納され、排水管３と一体に器具排水管４が設けられている。器具排水管４は排水管３から上方に延設された後、前方に直角に屈曲され、図４に示す様に配管ユニット２のフロントパネル５と面一に設けた排水フランジ６を介して水洗式大便器１の排水部（Ｐトラップ）７を接続している。
【０００５】
水洗式大便器に排水管を接続するに際しては、器具の排水フランジと排水管を繋ぐ器具排水管をその都度製作したり、現場で加工したりする作業を不要にすることが出来、又、部材の標準化によって、コストダウンと信頼性の向上を図ることが出来る。
【０００６】
【特許文献１】
特開平７−４２２１８号公報
【０００７】
【発明が解決しようとする課題】
ところが、上記した水洗式大便器では、給水管の接続について何の工夫もされておらず、現場で便器を取り付ける全行程を考慮するとそのすべてに改善がなされたものではなかった。特に、壁へ便器後端部を密着固定させるタイプのＰトラップの便器では、壁との間に空間がない、又は、殆どない状態であるので、改善の余地が残されていた。
【０００８】
本発明は、上記課題を解決するためになされたもので、本発明の目的は、制御部を備えた水洗式大便器において、その制御部への洗浄水の給水を給水配管の取付け位置に関係なく、例えば、便器に対して左右いずれからの給水の場合であっても一つの便器で対応できる便器を提供することを目的とするものである。
【０００９】
【課題を解決するための手段および作用・効果】
上記目的を達成するために請求項１は、ボウル部と、前記ボウル部を洗浄するために吐出される洗浄水の制御をおこなう制御部と、前記制御部を収納する収納部を有する水洗式大便器において、前記収納部底部より下側の便器後方の空間へ臨む開放空間を有することを特徴とする水洗式大便器を提供する。
【００１０】
本発明によれば、開放空間が収納部の底部に設けられ、収納部内に納められた制御部への洗浄水の管路を開放空間にて取り回すことが出来るので、便器に対して左右何れの位置に止水栓（給水栓）があった場合でも、１つの便器で何れの給水にも対応できるとともに、施工手順も左右で同一で良く混乱することがない。なお、ここで制御部とは、水道直圧の洗浄水を制御するバルブを表す。
【００１１】
また、請求項２は、ボウル部と、前記ボウル部を洗浄するために吐出される洗浄水の制御をおこなう制御部と、前記制御部を収納する収納部と、前記ボウル部と連通するＰトラップの出口を内包するフランジ部を備える水洗式大便器において、前記収納部の底部と前記フランジ部との間に開放空間を備えることを特徴とする水洗式大便器を提供する。
【００１２】
本発明によれば、開放空間が収納部の底部とフランジ部との間に設けられる。壁排水には、Ｐトラップが利用され、壁への便器の取り付けに当たっては、Ｐトラップの出口を内包するようにフランジを設ける場合が多く、そのフランジの形状を若干工夫することにより容易に開放空間を形成できる。従って、収納部内に納められた制御部への洗浄水の管路を開放空間にて取り回すことが出来るので、便器に対して左右何れの位置に止水栓（給水栓）があった場合でも、１つの便器で何れの給水にも対応できるとともに、施工手順も左右で同一で良く混乱することがない。なお、ここで制御部とは、水道直圧の洗浄水を制御するバルブを表す。
【００１３】
また、請求項３は、前記フランジ部の端部が前記収納部の後端よりも後方にあることを特徴とする請求項１記載の水洗式大便器を提供する。
【００１４】
本発明によれば、収納部の後端よりも後方にフランジ部の端部が設けられる。従って、フランジ部の上方にある空間も管路取り回しに利用することが出来るので、トラップの強度補強や便器の下方側面の総袴後部の意匠性の向上などの対策を行いやすくなる。
【００１５】
上記目的を達成するために請求項４は、前記収納部の底部に前記制御部への洗浄水の管路が通る管路開口部を備えることを特徴とする水洗式大便器を提供する。
【００１６】
本発明によれば、制御部への洗浄水の管路が通る管路開口部が、収納部の底部に備えられる。よって収納部の壁部を開口することがなく成型時の型くずれもしにくくなるとともに、管路開口部を通る洗浄水の管路も使用者に見にくい位置に取り回すことが可能になるのでいたずら防止にも役立つ。
【００１７】
【発明の実施の形態】
以下図面に沿って発明内容を説明する。
図１に本発明に係る第１実施例である水洗式大便器の概略断面図を示す。また図２に第１実施例での水洗式大便器の壁側から見た概略図（収納部内は一部透視図）を示す。
【００１８】
図１に示す水洗式大便器３０はボウル部３３の後方上部に一体的に形成された収納部３１を形成している。また収納部３１の上部には収納物を隠蔽する蓋３５を備えている。
【００１９】
本実施例では、収納部３１内部にベースプレート４５を備え、そのベースプレート４５に収納物が固定されるようになっている。ここでは収納物として、洗浄水の吐水を制御する制御部であるバルブ４０が備えられている状態を示している。すなわち、本実施例では洗浄水をタンクに貯留するタイプではなく、水道直圧型と呼ばれるタイプの水洗式大便器である。
【００２０】
また、水洗式大便器３０は、ボウル部３３と連通するＰトラップ３６を備え、Ｐトラップ３６の出口を内包するフランジ部３７を一体で備えている。また一体で形成されたフランジ部３７と収納部３１の底部３２との間には図中波線で示す開放空間７０を有しており、底部３２には管路開口部５０を１個備えており、バルブ４０へ給水される管路である給水管６０が通っている。
【００２１】
次に、図２を用い、後方から見た給水管６０の取り回しについて詳細を説明する。収納部３１内のベースプレート４５に配置されたバルブ４０への給水管６０は収納部３１の底部の管路開口部５０を通って配置されており壁に設置された止水栓６５とつながっている。ここで図１に示す開放空間があるので、右側の床に配置された止水栓６５につながる場合の給水管６０のようにも取り回すことが可能となる。すなわち、１台の便器で、何らの操作もすることなく左右いずれの方向にも給水管６０を取り回すことが出来る。
【００２２】
なお、本実施例では、壁と対峙する向きより便器を見て、右側に位置する止水栓は床に配置され、左側に位置する止水栓は壁に配置されているように例示している。
【００２３】
また、本実施例では、図１に示すようにフランジ部の端部３８（図２での斜線部）が前記収納部の後端４８よりも寸法Ａのみ後方にある。従って、フランジ部３７の上方にある空間すなわち開放空間７０よりも後方にある奥行き寸法Ａの空間も管路取り回しに利用することが出来る。よって、開放空間を給水ホースの取り回しのみでなく、分岐金具など他の器具の配置場所としても供給することが出来ひいては水洗式大便器全体の意匠性が向上する。
【００２４】
次に、本発明の第２実施例である水洗式大便器の概略斜視図（一部透視図）を図３に示す。第１実施例による水洗式大便器と同一又は相当する構成要素には同一符号を付して詳細な説明を省略する。
【００２５】
図３に示す水洗式大便器３０はボウル部３３の後方上部に一体的に形成された収納部３１と蓋３５を備えている。収納部３１には洗浄水の吐水を制御する制御部であるバルブ４０を備えている。
本実施例では洗浄水をタンクに貯留するタイプではなく、水道直圧型と呼ばれるタイプの水洗式大便器である。
また後方には第１実施例と同様な図示しない開放空間を備えるフランジ部３７を一体的に形成している。
【００２６】
収納部３１内のバルブ４０にはリムホース８３、ゼットホース８５がそれぞれつながっている。リムホース８３は吐水出口９０を介して陶器出口９５でボウル部３３に開放されている。ゼットホース８５は図示しないトラップと対峙するゼット口９８と連結している。
【００２７】
ここで図３を用い本実施例での水洗式大便器の洗浄方法について説明する。
まず収納部３１に設けられたバルブ４０は、内部に図示しない切り替えの弁を備えており、操作部８０の操作を受けて吐水出口９０へ向けて洗浄水が吐出され、ボウル部３３には陶器出口９５より洗浄水が吐出される。吐水された洗浄水Ｗｒは図中矢印で示すように適宜重力によりボウル部３３の下部方向に垂下することでボウル部３３が全周洗浄される。
その時点でバルブ４０の切替弁が作動し吐水出口９０からの吐出が終了し、トラップ部入り口と対峙するゼット口９８より洗浄水Ｗｚが吐水開始される。すると図示しないトラップ内が洗浄水により満水状態となりサイホン力が発生し、溜水とそこにある汚物がトラップ部を介して外部へ向けて排出される。
その後洗浄水Ｗｚの吐出は終了し、再び吐水出口９０より洗浄水が吐出し陶器出口９５を介してボウル部３３を旋回しながら再び溜水として保持される。
なお吐水出口９０は別体のノズル形状であり陶器出口９５のみを開口部とする閉空間内に設置されている。
【００２８】
本実施例では、水洗式大便器３０の右側に止水栓６５を備え収納部内の底部に開口された右側の管路開口部５０を通り給水管６０がバルブ４０と接続している。
【００２９】
第１実施例と異なる部分としては、収納部の底部の管路開口部を複数設け、給水管は、収納部内を経由して止水栓にもっとも近い管路開口部から突出させるようにしたことである。よって、開放空間での給水管の取り回しもシンプルとなると同時に外気にさらされる給水管の長さも短くなる。また、左側に止水栓がある場合は左側の管路開口部を用いることにより、上記と応用に開放空間でのシンプルな取り回しが可能となる。したがって、左右いずれも取り回せるだけでなく、意匠性の向上、外部に露出している給水管の清掃性向上にもつながる。
【００３０】
上記実施例では、何れも壁排水のＰトラップを利用し水洗式大便器の例を示したが、Ｓトラップなどの床排水方法を採用する便器であってもよく。それらの便器は、単純には、図１及び図２のトラップを挿入する開口を便器後端面から無くし、陶器面のみにした構成となるものである。
【００３１】
また、本実施例では収納部の底部の左右に２個の管路開口部を備えた場合を示したが、左右方向に長く開口した管路開口部を有した形状であっても同様の効果がある。この場合、便器の幅より内側に開口を納めることで側面からの意匠を損ないようにできるので、開口の幅は極力小さい方が望ましい。
【００３２】
更に、本実施例ではボウル洗浄は陶器出口１箇所からの洗浄方式を採用しているが、一般的に使用されている箱形リムであっても、オープンリムであっても何ら問題ない。
【図面の簡単な説明】
【図１】本発明の第１実施例である水洗式大便器の概略断面図である。
【図２】本発明の第１実施例である水洗式大便器の壁側から見た概略図（一部透視図）である。
【図３】本発明の第２実施例である水洗式大便器の概略斜視図（一部透視図）である。
【図４】従来の水洗式大便器の要部側断面図である。
【符号の説明】
１…水洗式大便器
２…配管ユニット
３…排水管
４…器具排水管
５…フロントパネル
６…排水フランジ
７…排水部
９…接合面
１４…パッキン
１５…パッキン
３０…水洗式大便器
３１…収納部
３２…底部
３３…ボウル部
３５…蓋
３６…Ｐトラップ
３７…フランジ部
３８…端部
３９…出口
４０…バルブ
４５…ベースプレート
４８…後端
５０…管路開口部
６０…給水管
６５…止水栓
７０…開放空間
８０…操作部
８３…リムホース
８５…ゼットホース
９０…吐水出口
９５…陶器出口
９８…ゼット口
Ｗｒ、Ｗｚ…洗浄水
【図１】
2004270301.tif 000003
【図２】
2004270301.tif 000004
【図３】
2004270301.tif 000005
【図４】
2004270301.tif 000006